(57)【要約】【課題】照明器具において、部品配置を改善した基板モジュールを提供する。また、連結して用いても光源の間隔が同じ反射板、照明モジュール及び照明器具を提供する。【解決手段】基板モジュール１０は、長手方向１０１と短手方向１０２と表面と裏面とが存在する基板１１と、基板１１の表面の長手方向１０１に縦列接続されて配置され、かつ、基板１１の表面の短手方向１０２の右側に配置された複数の光源２０と、第１の光源２１と第Ｎの光源２９とに縦列接続され、基板１１の表面の短手方向１０２の左側に配置された２つの接続部３０とを備える。また、複数の光源２０は、所定の間隔Ｂで均等に直線状に配置され、第１の光源２１と第Ｎの光源２９とは、基板１１の長手方向１０１の端から上記所定の間隔Ｂの略半分の間隔Ｂ／２をおいて配置される。【選択図】図１
2010199010.tif 000002
【特許請求の範囲】
【請求項１】
長手方向と短手方向と表面と裏面とが存在する基板と、
基板の表面の長手方向に縦列接続されて配置され、かつ、基板の表面の短手方向の右側に配置された第１から第Ｎ（Ｎは２以上の整数）の光源と、
第１の光源と第Ｎの光源とに縦列接続され、基板の表面の短手方向の左側に配置された２つの接続部と
を備えたことを特徴とする基板モジュール。
【請求項２】
第１から第Ｎの光源は、所定の間隔で均等に直線状に配置され、
少なくとも、第１の光源と第Ｎの光源とのいずれかは、基板の長手方向の端から上記所定の間隔の略半分の間隔をおいて配置されている
ことを特徴とする請求項１記載の基板モジュール。
【請求項３】
上記基板は、さらに、基板の短手方向の左側に、取付穴を備えたことを特徴とする請求項１又は２記載の基板モジュール。
【請求項４】
上記取付穴は、基板の短手方向の左側の位置であって、基板の長手方向において光源と光源との間の位置に配置されている
ことを特徴とする請求項３記載の基板モジュール。
【請求項５】
上記接続部は、基板の短手方向の左側の位置であって、基板の長手方向において光源と光源との間の位置に配置されたことを特徴とする請求項１から４いずれかに記載の基板モジュール。
【請求項６】
長手方向と短手方向と表面と裏面とが存在する反射板であって、
反射板の長手方向に第１から第Ｎの光源を露出させる第１から第Ｎの開口を有する第１から第Ｎの反射部であってかつ反射板の短手方向の中央に形成された第１から第Ｎの反射部と、
第１から第Ｎの光源が第１から第Ｎの反射部に対応するように基板を反射板の裏面の短手方向の左側に取り付ける取り付け機構と
を有することを特徴とする反射板。
【請求項７】
上記反射板は、反射板の長手方向の両端の側部が開放されており、反射板の長手方向に直線状に貫通する貫通部を備えたことを特徴とする請求項６記載の反射板。
【請求項８】
上記反射板は、第１から第Ｎの反射部の両サイドから反射板の裏面に向かって設けられた外壁を有し、
上記取り付け機構は、外壁の一方と第１から第Ｎの反射部の裏面底部とを有し、基板の左側の端面を外壁の一方の内側に当接させ、かつ、基板の表面を第１から第Ｎの反射部の開口裏底部に当接させ、かつ、基板の裏面を反射板の裏面よりも突出させて、基板を反射板に取り付けることを特徴とする請求項６又は７記載の反射板。
【請求項９】
上記反射板は、反射板の長手方向の一端に長手方向に突き出た重ねしろ部を備え、反射板の長手方向の他端に他の反射板の重ねしろ部を挿入する挿入部を備えたことを特徴とする請求項６又は７記載の反射板。
【請求項１０】
上記反射板は、第１から第Ｎの反射部の周囲に立設された縁部を備え、縁部は、カバーを取り付ける爪を有することを特徴とする請求項６又は７記載の反射板。
【請求項１１】
上記請求項１から５いずれかに記載の基板モジュールと、
上記請求項６から１０いずれかに記載の反射板と、
爪により縁部に取り付けられ第１から第Ｎの反射部を覆う透光性のカバーを備えたことを特徴とする照明モジュール。
【請求項１２】
上記請求項１から５いずれかに記載の基板モジュールと、上記請求項８に記載の反射板とを備えた照明モジュールと、
上記照明モジュールの基板の裏面に面接触して照明モジュールを取り付ける取付部と、
を備えたことを特徴とする照明器具。
【請求項１３】
上記請求項１から５いずれかに記載の基板モジュールと、上記請求項９に記載の反射板とを備えた照明モジュールと、
上記照明モジュールを長手方向に隣接隙間を空けて複数取り付ける取付部であって、隣り合う一方の照明モジュールの反射板の重ねしろ部の一部を他方の照明モジュールの挿入部に挿入して隣り合う照明モジュールを取り付ける取付部と
を備えたことを特徴とする照明器具。
【請求項１４】
上記請求項１から５いずれかに記載の基板モジュールと、
上記請求項１０に記載の反射板と、
開口部を形成し、開口部から上記縁部を突出させるとともに、上記縁部の周囲を覆う化粧板と
を備えたことを特徴とする照明器具。
【請求項１５】
長手方向と短手方向とが存在する基板と、
基板の長手方向に所定の間隔で均等に直線状に配置された第１から第Ｎ（Ｎは２以上の整数）の光源と、
長手方向と短手方向とが存在する反射板とを備え、
上記反射板は、
反射板の長手方向に第１から第Ｎの光源を露出させる第１から第Ｎの開口を有する第１から第Ｎの反射部であって、第１から第Ｎの光源を反射板の短手方向の端部から上記所定の間隔の略半分の間隔をおいて配置する第１から第Ｎの反射部を備えたことを特徴とする照明モジュール。
【請求項１６】
第１の光源と第Ｎの光源とは、反射板の長手方向の端から上記所定の間隔の略半分の間隔をおいて配置されていることを特徴とする請求項１５記載の照明モジュール。
【請求項１７】
上記請求項１５記載の照明モジュールと、
上記照明モジュールを、平行に隣接させて、複数取り付ける取付部と
を備えたことを特徴とする照明器具。
【請求項１８】
上記請求項１６記載の照明モジュールと、
上記照明モジュールを複数取り付ける取付部であって、いずれか２つの照明モジュールによりＬ型又はＴ型を呈するように、複数の照明モジュールを取り付ける取付部と
を備えたことを特徴とする照明器具。
【発明の詳細な説明】
【技術分野】
【０００１】
本発明は、たとえば、複数のＬＥＤを搭載した基板モジュール及び反射板及び照明モジュール及び照明器具に関するものである。
【背景技術】
【０００２】
従来、照明器具として、光源にＬＥＤを使用するものがある（例えば、特許文献１及び２及び３参照）。また、複数の照明器具を連結して使用する方法が知られている（例えば、特許文献４参照）。
【先行技術文献】
【特許文献】
【０００３】
【特許文献１】特開２００６−２２８５２９号公報
【特許文献２】実開平５−６６８０８号公報
【特許文献３】特開２００８−２１８１８６号公報
【特許文献４】実開平５−８７７２５号公報
【発明の概要】
【発明が解決しようとする課題】
【０００４】
従来の照明装置は、基板への各種の部品配置が直線状になっているため、サイズを小さくしにくいという課題があった。
また、複数の光源を有する照明器具を連結して用いる場合に、光源の間隔が異なってしまう部分が発生するという課題があった。
この発明は、部品配置を改善した基板モジュールを提供することを目的とする。また、連結して用いても光源の間隔に違和感のない反射板及び照明モジュール及び照明器具を提供することを目的とする。
【課題を解決するための手段】
【０００５】
この発明の基板モジュールは、
長手方向と短手方向と表面と裏面とが存在する基板と、
基板の表面の長手方向に縦列接続されて配置され、かつ、基板の表面の短手方向の右側に配置された第１から第Ｎ（Ｎは２以上の整数）の光源と、
第１の光源と第Ｎの光源とに縦列接続され、基板の表面の短手方向の左側に配置された２つの接続部と
を備えたことを特徴とする。
【発明の効果】
【０００６】
この発明の基板モジュールによれば、複数の光源と接続部との配置を基板の左右に分離したので、複数の光源を基板に均等に配置することができる。
また、この発明の基板モジュールを用いた照明モジュールを連結して用いれば、光源の間隔に違和感のない照明器具を得ることができる。
【図面の簡単な説明】
【０００７】
【図１】実施の形態１の照明モジュール４０の分解斜視図。
【図２】実施の形態１の照明モジュール４０の組み立て斜視図。
【図３】実施の形態１の照明器具９０の正面図。
【図４】実施の形態１の照明器具９０の斜視図。
【図５】実施の形態１の照明モジュール４０の四面図。
【図６】実施の形態１の反射板４１とカバー７９の断面図。
【図７】実施の形態１の照明器具９０の断面図。
【図８】実施の形態１の照明モジュール４０の連結図。
【図９】実施の形態１の照明器具９０の右半分から化粧板９３を除いた正面図。
【図１０】実施の形態１の照明器具９０の平面図と背面図。
【図１１】実施の形態１の照明器具９０の部分拡大図と部分透視図。
【図１２】実施の形態１の照明器具９０の側面図（左半分が化粧板９３がある場合の側面図、右半分は、化粧板９３を除去した場合の側面図）。
【図１３】実施の形態１の照明器具９０の断面図。
【図１４】実施の形態２の２個の照明モジュール４０の連結図。
【図１５】実施の形態２の複数の照明モジュール４０の連結図。
【発明を実施するための形態】
【０００８】
実施の形態１．
図１は、照明モジュール４０の分解斜視図である。
図２は、照明モジュール４０の組み立て斜視図である。図２において、カバー７９は省略している。
照明モジュール４０は、基板モジュール１０と反射板４１とカバー７９とを備えている。
なお、モジュールとは、器具や装置の交換可能な構成部品を意味する。器具全体や装置全体を買い換えなくても、故障したモジュールを正常なモジュール（部品）に交換することにより、器具や装置を修理できる。あるいは、後から最新のモジュール（部品）に交換することにより、器具や装置の性能を向上できる。
【０００９】
図３は、実施の形態１の照明器具９０の正面図である。
図４は、実施の形態１の照明器具９０の斜視図である。
図３と図４の照明器具９０は、４個の照明モジュール４０を直列に配列したものである。
照明器具９０は、背面板９９の両側にサイド板９８を有している。１対のサイド板９８の間に、化粧板９３がある。化粧板９３の中央には、一つの照明開口９４が角状に開けられており、照明開口９４から４個の照明モジュール４０を露出させる。
【００１０】
基板モジュール１０の説明
基板モジュール１０は、薄い板状の基板１１を有している。基板１１の材質は、アルミニウム、ガラスエポキシ樹脂、セラミック、紙フェノールなどを用いることができるが、アルミニウムなどの伝熱性の高い金属が望ましい。基板１１の形状は、長手方向１０１と短手方向１０２が認識できる形状であれば構わないが、縦辺（長辺）と横辺（短辺）とがある長方形が望ましい。図１では、物差し状あるいは直定規状の長尺物基板を示している。
【００１１】
図１に示すように、基板１１の短手方向１０２を左右に分けて左側と右側とする。左側と右側は、基板１１の中心を境にして左右にある部分としてもよいが、左側は相対的に右側の左にあり右側は相対的に左側の右にある部分としてもよい。
基板１１には、表面１２と裏面１３とがある。表面は絶縁被膜で覆われているが、表面には、以下に述べる電気部品が半田づけされており、電気部品が電気回路を構成している。裏面は、平面であり、基板１１の金属材質がむき出しになっている。また、基板１１の４つの側面は切断面であり、基板１１の金属材質がむき出しになっている。したがって、表面に配置される部品は、基板１１の側面の切断面やねじ穴の切断面からの絶縁距離を保つように配置しなければならない。
電気部品として、複数の光源２０と接続部３０がある。複数の光源２０は電気的に発熱し発光するデバイスであり、具体例はＬＥＤである。接続部３０は電線を接続する場所であり、具体例はコネクタである。
【００１２】
複数の光源２０は、第１の光源２１から第Ｎの光源２９まで、Ｎ個（Ｎは２以上の整数）あり、基板１１の表面に形成された図示していない配線により長手方向１０１に縦列接続（直列接続）されている。複数の光源２０は、基板１１の表面の短手方向１０２の右側に配置されている。複数の光源２０の中央が、均等に間隔Ｂで、直線状に配置されている。第１の光源２１の中央及び第Ｎの光源２９の中央から、基板１１の長手方向１０１の端までの距離は、Ａ／２である。間隔Ｂと間隔Ａとは、ほぼ同じ距離にするか、等しくすることが望ましい（Ｂ≒Ａ、または、Ｂ＝Ａ）。即ち、距離Ａ／２を間隔Ｂの略半分か、半分にすることが望ましい。
たとえば、基板１１の長手方向１０１の長さを２４０ｍｍとし、１２個の複数の光源２０を直線上に均等に配置する場合、Ｂ＝２０ｍｍ、Ａ＝２０ｍｍとし、第１の光源２１と第Ｎの光源２９とを長手方向１０１の端から１０ｍｍ（＝Ｂ／２＝Ａ／２）に配置する。正確に配分できない場合は、第１の光源２１と第Ｎの光源２９との一方は、端からＢ／２（＝Ａ／２）に配置するのが望ましく、他方は、端からＢ／２（＝Ａ／２）に配置しなくてもよい。
【００１３】
接続部３０は、基板１１の表面の短手方向１０２の左側に配置されている。接続部３０は、電線からの電源入力及び他基板への電線送りのために用いられるものであればよく、半田付ランドや電極端子や電線接続端子でもよい。
接続部３０は第１の接続部３１と第２の接続部３２とからなる。第１の接続部３１は基板１１の配線により第１の光源２１に縦列接続されている。第２の接続部３２は基板１１の配線により第Ｎの光源２９に縦列接続されている。基板モジュール１０単独で点灯される場合、第１の接続部３１と第２の接続部３２とは点灯回路に接続される、複数の基板モジュール１０を直列接続する場合は、接続するある基板モジュール１０の第１の接続部３１と他の基板モジュール１０の第２の接続部３２とを配線で接続する。
【００１４】
第１の接続部３１は、基板の短手方向１０２の左側の位置であって、基板１１の長手方向において第１の光源２１と第２の光源２２との間の位置に配置されている。第１の光源２１と第２の光源２２と第１の接続部３１とは第１の接続部３１を頂点とした正三角形または二等辺三角形を形成することになる。
第２の接続部３２も、基板１１の短手方向１０２の左側の位置であって、第Ｎ−１の光源２８と第Ｎの光源２９との間の位置に配置されている。第Ｎ−１の光源２８と第Ｎの光源２９と第２の接続部３２とは第２の接続部３２を頂点とした正三角形または二等辺三角形を形成する。
接続部３０は、基板１１の長手方向において、接続部３０の近傍にある２個の光源の間の位置に配置されていればよい。接続部３０が長手方向１０１において端から離れているのは、基板１１の接続部３０と光源との絶縁距離を確保するためである。また、接続部３０に接続する配線の端子を置く場所を基板１１内に確保するためである。したがって、接続部３０に接続する配線の端子が、基板１１の外縁からはみ出すことはない。
【００１５】
上記基板１１は、基板の短手方向１０２の左側に、取付穴１４を備えている。取付穴１４は、基板固定用のねじ止め穴である。取付穴１４は、長手方向１０１において、隣り合う光源と光源との間の位置に配置されている。取付穴１４と近傍の２個の光源は取付穴１４を頂点とした正三角形または二等辺三角形を形成することになる。基板１１の取付穴１４と光源との絶縁距離を確保するためである。
取付穴１４と接続部３０も、絶縁距離を確保するため、基板１１に所定の距離を置いて配置されている。
【００１６】
以下の絶縁距離は、ほぼ同じにするか、等しくすることが望ましい。
１．複数の光源２０から基板１１の端までの距離Ｃによる絶縁距離、
２．接続部３０から基板１１の端までの距離Ｄによる絶縁距離、
３．基板１１の取付穴１４と光源との距離による絶縁距離、
４．基板１１の接続部３０と光源との距離による絶縁距離、
５．基板１１の取付穴１４と接続部３０との距離による絶縁距離。
【００１７】
実施の形態１の基板モジュール１０は、基板１１の中心から片側に複数の光源２０だけを備え、複数の光源２０と逆側に基板の取付穴１４と複数の接続部３０とがあるので、光源の取付ピッチを密にすることができる。
また、基板１１の長手方向１０１に複数の光源２０の配置を妨害する部品がないので、長手方向１０１において複数の光源２０の取付ピッチをほぼ等間隔にできる。
また、複数の光源２０に対して、接続部３０及び取付穴１４及び基板の外郭（端）からの絶縁距離を確保しつつ、基板１１の大きさを最小限にすることができる。
また、接続部３０と複数の光源２０とを基板１１の左右に分離して配置したので、接続部３０の電線が複数の光源２０の発光を妨害することがなく、配線がしやすい。基板１１の左側を配線スペースとしても使用できる。
【００１８】
照明モジュール４０と反射板４１の説明
図１に示すように、照明モジュール４０は、基板モジュール１０と反射板４１とカバー７９とを備えている。
図２は、基板モジュール１０と反射板４１を結合した斜視図である。
基板モジュール１０と反射板４１とは、ねじ止め部４９のねじ穴４７と取付穴１４とを固定ねじ８７により固定する。あるいは、接着固定でもよい。ねじ穴４７と取付穴１４との位置がずれる場合は、個別のねじ止めをする。
【００１９】
反射板４１も基板モジュール１０と同様に、長手方向１０１と短手方向１０２と表面４２と裏面４３とが存在する。
図１に示すように、反射板４１も基板モジュール１０と同様に、反射板４１の短手方向１０２を左右に分けて左側と右側とする。
反射板４１は、モールド成形されており梯子形状をしている。反射板４１の材質は、ポリカーボネート、ＡＢＳ樹脂、アクリルなどを用いることができるが、耐熱性絶縁体であることが望ましい。反射板４１の正面外形は、基板モジュール１０を覆うことができる長手方向１０１と短手方向１０２がある形状であれば構わないが、縦辺（長辺）と横辺（短辺）とがある長方形が望ましい。
【００２０】
図１の反射板４１は、短手方向１０２の断面外形（即ち、側部７３から見た外形）が、凸型状である場合を示している。
反射板４１は、短手方向１０２の断面外形において凸型であるので、左右対称であり、１段の階段状の張り出し面３５がある。１対の張り出し面３５の短手方向の外側裏面側下方には、左外壁７１と右外壁７２（以下、左外壁７１と右外壁７２を外壁７０という）が垂直に延びている。左外壁７１と右外壁７２の高さは、接続部３０を含めた基板モジュール１０の高さよりも大きい。
張り出し面３５の内側表面上方には、縁部７７が壁のように垂直に立設されている。裏面から張り出し面３５までの距離と裏面から縁部７７までの高さとが異なるのは、その段差に、後述する化粧板９３を配置するためである。張り出し面３５は基板モジュール１０や配線９６を収納するために左右に張り出している。照明器具９０は縁部７７の内側の光源と反射部のみを露出すればよく、その他を覆うために、張り出し面３５と縁部７７で段差を設けて、張り出し面３５と縁部７７の中間の高さに化粧板９３を配置できるようにしている。
【００２１】
反射板４１は反射鏡となる第１の反射部５１から第Ｎの反射部５９（以下、複数の反射部５０という）を有している。複数の反射部５０は、反射板４１の表面の短手方向１０２の中央に配置されている。反射部は、四角錐形状をしており、光源から放出された光を表面方向に反射する。複数の反射部５０の中心は、間隔Ｂで直線上に均等に配置されている。第１の反射部５１から反射板４１の長手方向１０１の端までの距離はＡ／２である。反射板４１と基板モジュール１０の長手方向１０１の長さ（長辺の長さ）は、ほぼ同じ長さであるか、等しい。
複数の反射部５０は、反射板４１の長手方向１０１に複数の光源を露出させる第１の開口６１から第Ｎの開口６９（以下、複数の開口６０という）を有する。複数の開口６０は、複数の反射部５０の中央底部であって、反射板４１の短手方向１０２の中央にある。
なお、複数の反射部５０の形状は、四角錐形状でなくてもよく円錐形状や釣鐘形状や放射線回転体形状でもよい。複数の開口６０の形状は、四角でなくてもよく多角形や円や楕円でもよい。
【００２２】
基板モジュール１０の短手方向１０２の長さＳと反射板４１の短手方向１０２の長さＴとの比は、５５〜８０対１００である。反射板４１の短手方向１０２の中央に複数の開口６０があるので、基板モジュール１０の短手方向１０２の長さ（基板モジュール１０の幅Ｓ）は、反射板４１の短手方向１０２の長さ（反射板４１の幅Ｔ）の半分以上なければならない（幅Ｔ＞幅Ｓ＞幅Ｔ／２）。また、光源と切断面との絶縁距離を確保するためには、幅Ｓと幅Ｔとの比は、６０％以上であることが望ましい。基板１１のコストを削減するためには、幅Ｓと幅Ｔとの比は、７０％以下であることが望ましい。その結果、幅Ｓと幅Ｔとの比は、１：２（６５％前後）が最適である（幅Ｔ×（２／３）≒幅Ｓ）。
【００２３】
上記縁部７７は、複数の反射部５０の周囲に立設されている。縁部７７は、複数の反射部５０を囲む四角形の形状をしている。縁部７７は環状でなくてもよく、長手方向１０１のみに設けられた１対の対向する立設平面壁あるいは短手方向１０２のみに設けられた１対の対向する立設平面壁でも構わない。縁部７７は、内側に向かって突き出た複数の爪７８を有する。爪７８は、カバー７９を縁部７７にはめ込むものである。爪７８は、反射部と反射部の間に設けられている。
カバー７９は、爪７８により縁部７７の内周にはめて取り付けられる。カバー７９の材質は、ポリカーボネート、ＡＢＳ樹脂、アクリルなど透明又は半透明のものである。カバー７９は、複数の反射部５０を覆う耐熱性かつ透光性のカバーである。
図１に示すように、反射板４１の周囲の張り出し面３５には、外壁７０を内側にＵ字状にくぼませて、有底のねじ止め部４９が４か所設けられている。ねじ穴４７は、基板１１を反射板４１に固定するため、または／及び、反射板４１を照明器具９０の取付部に固定するために用いられる。ねじ穴４７は、張り出し面３５からねじ頭が出ないように凹形状の下げ底になっているので、張り出し面３５の表面に化粧板９３を接触させてあるいは近接させて配置できる。
【００２４】
本実施の形態１の反射板４１は、基板モジュール１０を反射板４１に取り付けることにより基板モジュール１０の複数の光源２０のみを表面に露出させるとともに複数の光源２０以外を覆うことにより安全性を高めている。また、カバー７９を反射板４１に取り付けることにより、露出した複数の光源２０もカバー７９により覆われるために、さらに安全性を高めている。
【００２５】
本実施の形態１の反射板４１は、本来、複数の反射部５０を提供する部品であるが、さらに、基板モジュール１０とカバー７９とを取り付ける追加機能を有している。このように、反射板４１が一つの部品で、反射機能と基板取り付け機能とカバー取り付け機能を有している。
【００２６】
反射板４１の取り付け機構４４の説明
図５は、実施の形態１の照明モジュール４０の透視四面図である。（ａ）は照明モジュール４０の正面図である。（ｂ）は照明モジュール４０の底面図である。（ｃ）は照明モジュール４０の平面図である。（ｄ）は照明モジュール４０の左側面図である。
図６は、図５の反射板４１とカバー７９のＡ−Ａ断面図である。
図７は、照明器具９０のＡ−Ａ断面図である。
【００２７】
図６に示すように、反射板４１は、基板モジュール１０を固定する取り付け機構４４を備えている。
図６に示すように、取り付け機構４４は、複数の反射部５０の開口裏底部３６と、左外壁７１の内面と、ねじ穴４７と、隔壁４８と、ねじ止め部４９とを有している。隔壁４８は、所定の間隔で設けられた、反射板４１の強度を補強する壁である。隔壁４８とねじ止め部４９は、張り出し面３５から左外壁７１と右外壁７２にわたって形成されており、反射板４１の強度を増し、反射板４１の熱膨張による曲がりや変形を防止する。隔壁４８はなくてもよい。
【００２８】
上記取り付け機構４４は、基板１１の左側の端面を外壁左外壁７１の内側に当接させ、基板１１を左側に位置決めする。かつ、基板１１の表面を複数の開口６０の開口裏底部３６に当接させ、基板１１の上下方向の位置決めをする。Ｎ個の開口裏底部３６は、３６０度にわたり複数の光源２０の周囲を照明器具９０の取付部９１に押し付ける。
複数の反射部５０の開口裏底部３６の裏面方向への高さを左外壁７１と右外壁７２の裏面方向への高さよりも低くして、かつ、その高さの差を、基板１１の厚さよりも小さくする。左側の隔壁４８と左側のねじ止め部４９の高さも開口裏底部３６の高さと同じ高さにする。こうして、取り付け機構４４は、開口裏底部３６と左側の隔壁４８と左側のねじ止め部４９とで、基板１１の裏面を反射板４１の裏面平面よりも突出させて、基板１１を反射板４１に取り付ける。
たとえば、基板１１の厚さを１．０ｍｍとし、開口裏底部３６と外壁７０との高さの差を０．５ｍｍとした場合、基板１１は基板１１の厚みの約半分の０．５ｍｍだけ反射板４１の裏面からはみ出すことになる。このはみ出しが、基板１１を取付部９１に確実に押し付けることになる。
開口裏底部３６と左側の隔壁４８と左側のねじ止め部４９が基板１１の表面と多数の地点で接触することにより、基板１１の裏面全体を照明器具９０の取付部９１に押し付けることになり、基板１１の熱膨張による曲がりや変形を防止する。特に、開口裏底部３６は環状をしており、光源の近傍周囲を３６０度にわたり取付部９１に押し付けるので、取付部９１への伝熱効果が高まる。
【００２９】
以上のように、取り付け機構４４は、複数の光源２０が複数の反射部５０に対応するように、基板１１を、反射板４１の裏面の短手方向１０２の左側に取り付ける。
本実施の形態１によれば、基板１１の短手方向１０２の幅が反射板４１の短手方向１０２の幅全体にわたる必要がなく、基板１１の幅を反射板４１の幅の約２／３に小さくすることができ、基板１１の材料費を節約することができ、省資源化が図れる。また、反射板４１の裏面の約１／３は、基板１１で覆われないので、反射板４１の裏面の約１／３の解放部分において、換気通気ができ、反射板４１からの放熱性が向上する。
なお、反射板４１は基板１１を反射板４１の左側に取り付けるので、左側の隔壁４８と左側のねじ止め部４９が邪魔になる場合があり、隔壁４８とねじ止め部４９は右側のみにあってもかまわない。あるいは、隔壁４８とねじ止め部４９を左右両側に設け、基板１１の隔壁４８とねじ止め部４９が当たる部分を基板１１からカットしてもかまわない。これらの場合、基板１１は開口裏底部３６のみにより照明器具９０の取付部９１に押し付けられることになる。
【００３０】
貫通部７４の説明
図１に示すように、上記反射板４１は、換気通気による放熱効果を向上させるため長手方向１０１の両端の側部７３の下半分が開放されており、さらに、図７に示すように、反射板４１の側部７３の下半分の解放部分を、長手方向１０１に直線状に貫通する貫通部７４を備えている。貫通部７４も換気通気による放熱効果を向上させる。
貫通部７４は、左右両側にある。左の貫通部７４は、基板１１とねじ止め部４９と側端面８１と複数の反射部５０とに囲まれている。右の貫通部７４は、基板１１と取付部９１とねじ止め部４９と側端面８１と複数の反射部５０に囲まれている。右の貫通部７４は左の貫通部７４より大きい。図７では、右の貫通部７４に２本の配線９６を通している場合を示している。
貫通部７４は、長手方向１０１に直線状に存在するので、長手方向１０１に配線９６を容易に通すことができる。接続部３０を結ぶ配線９６も容易に通すことができる。
【００３１】
図７に示すように、照明器具９０の化粧板９３は、照明開口９４を形成している。照明開口９４は縁部７７を突出させる。照明開口９４のサイズは縁部７７よりも大きく、縁部７７の周囲全体に四角枠状の開口隙間８２が存在する。開口隙間８２は、寸法誤差や熱膨張変形を吸収するため、および、換気通気のための隙間である。化粧板９３の表面は、縁部７７の高さよりも低くなっており、開口隙間８２があっても、見栄えが悪くなることはない。開口隙間８２により、化粧板９３の取り付け作業がしやすくなる。
【００３２】
なお、図７に示すように、複数の反射部５０と縁部７７と爪７８の形状や高さは所望の遮光角が得ることができるようになっている。爪７８は反射部と反射部の間に設けられているので、所望の遮光角を減じることはなく、爪７８の影を生成してしまうことはない。
【００３３】
図８は、実施の形態１の照明モジュール４０の連結図であり、照明モジュール４０の連結部分の図５のＢ−Ｂ断面図である。
図８に示すように、上記反射板４１は、反射板４１の長手方向１０１の一端に反射板４１の側端面８１から長手方向１０１の外部側に舌状に突き出た重ねしろ部７５を備えている。重ねしろ部７５の幅は、
重ねしろ部７５の幅≦反射板４１の短辺の長さ−外壁７０の幅
であり、反射板４１の短辺よりもわずかに短い。
また、反射板４１の長手方向１０１の他端に他の反射板４１の重ねしろ部７５を挿入する挿入部７６を備えている。挿入部７６には、重ねしろ部７５の突き出し長さをすべて挿入できる奥行き空間があればよい。
照明器具９０の取付部９１は、隣り合う照明モジュール４０の間に隣接隙間８５を設けて取り付ける。照明モジュール４０（反射板４１）の熱膨張を隣接隙間８５で吸収するためである。挿入部７６は、隣接隙間８５から見えてしまう照明モジュール４０間にまたがる配線９６を隠すための覆いである。重ねしろ部７５の突き出し長さは、隣接隙間８５の幅以上の長さがあればよい。
【００３４】
基板モジュール１０において、距離Ａ／２を間隔Ｂの略半分か、半分にしていること、および、基板モジュール１０と反射板４１との長手方向１０１の長さがほぼ等しいか、同一にしていることから、図８において、複数の光源２０の間隔Ｂと第１の光源２１と第Ｎの光源２９と間隔Ａとは、ほぼ同じ距離になるか、等しくなる。
図８では、距離Ａには、２個の縁部７７の厚みと隣接隙間８５とが含まれるので、間隔Ｂ＜間隔Ａとなっている。間隔Ａが間隔Ｂと等しくなることが望ましいが、間隔Ａが間隔Ｂの１．３倍以下であれば、視認するに当たり違和感が生じない。また、点灯時には熱膨張が起き、隣接隙間８５が狭くなるので、間隔Ａを間隔Ｂの１．２倍以下にできる。さらに、短手方向１０２の縁部７７を設けなければ、２個の縁部７７の厚みがなくなるので、間隔Ａを間隔Ｂの１．１倍以下にできる。
【００３５】
上記照明モジュール４０の基板１１の裏面は、図７に示すように、照明器具９０の取付部９１の直接面接触する。基板１１と取付部９１の間には、絶縁板および放熱板が入っても良い。
【００３６】
実施の形態１の照明モジュール４０は、基板モジュール１０の上面に、反射板４１を固定ねじ８７で固定し、その上にカバー７９を爪７８で固定したものである。換言すれば、反射板４１は、複数の反射部５０を備えるとともに、基板モジュール１０とカバー７９を固定する単一部品であり、照明モジュール４０の部品点数を減少させている。
【００３７】
実施の形態１の照明器具９０のように、照明モジュール４０を連続してつなげれば様々な長さに対応可能である。
また、反射板４１の側部７３に開口された貫通部７４があるので、連結した照明モジュール４０に内部配線を送ることができる。
また、反射板４１は、光源の光を制御するとともに、基板モジュール１０を覆うので、光源の半田部および電線半田部及び接続部３０の露出を防ぐことができる。
また、反射板４１の複数の反射部５０の開口裏底部３６が、基板１１を照明器具９０の取付部９１におさえることにより、すべての複数の光源２０近傍における基板１１の取付部９１からの浮き上がりを防ぐことができ、複数の光源２０の熱を取付部９１に効率よく伝えることができる。
【００３８】
また、図１３の照明器具９０の断面のように、反射板４１の張り出し面３５に長手方向１０１に貫通する溝状の貫通凹部を貫通部７４として設けてもよい。貫通凹部の場合は、反射板４１の表面から配線９６を押し込めるので配線作業がしやすい。
【００３９】
また、カバー７９は、全周または両サイドが縁部７７で覆われており、カバー７９により、基板１１と複数の反射部５０の露出を防ぐことができる。
また、化粧板９３より縁部７７が出ているので、化粧板９３の照明開口９４の形状がシンプルになる。また、照明開口９４は角穴ですむ。
また、取付部９１と反射板４１の外壁７０と間に隙間を設けているので、基板１１の裏面を取付部９１に完全に押し付けることができ放熱効果が向上する。
また、照明モジュール４０の連結時、隣接隙間８５を設けているので、反射板の材料（樹脂）の伸びによる干渉を防ぐことができる。
また、重ねしろ部７５を反射板４１の片側に設けているので、送りの配線等が、隣接隙間８５から見えないようにできる。
【００４０】
照明器具９０の説明
図９から図１２を用いて、照明器具９０を説明する。
図９は、照明器具９０の右半分から化粧板９３を除いた正面図である。
図１０の（ａ）は照明器具９０の背面図、（ｂ）は平面図である。照明器具９０の底面図は、平面図と対称である。
図１１の（ａ）は照明器具９０の部分拡大図、（ｂ）は、図１１（ａ）の透視平面図である。
図１２は、照明器具９０の左側面図であり、左半分が化粧板９３がある場合の左側面図（右半分は左半分と対称）、右半分は、化粧板９３を除去した場合の左側面図（左半分は右半分と対称）である。照明器具９０の右側面図は、左側面図と対称である。
【００４１】
図９に示すように、取付部９１には、４個の照明モジュール４０が、隣接隙間８５を空けて、固定ねじ８７により、直列に固定される。この固定により、基板１１の裏面全体が取付部９１に直接面接触する。取付部９１の材質は、アルミニウムや板金などの伝熱性の高い金属がよい。また、取付部９１の形状は放熱性の高いひれ状、フィン状がよい。図９と図１０と図１１に示す取付部９１は、長手方向１０１全体に存在し、かつ、断面がＵ字状に形成され、Ｕ字状の両翼が照明器具９０の裏面方向の雰囲気中に存在しており、基板１１から熱を受け取り周囲の雰囲気に放熱する放熱板９２を兼ねている。
【００４２】
取付部９１には、配線孔８３があり、電気回路と照明モジュール４０とを結ぶ配線９６を通過させる。貫通部７４がある右側に偏って配線孔８３を開けてあるので、配線がしやすい。
【００４３】
化粧板９３には、直列に配置された４つの照明モジュール４０に対して一つの照明開口９４が設けられている。照明開口９４は、縁部７７内部の複数の反射部５０と複数の光源２０のみを露出させる。化粧板９３は、長手方向１０１において、背面板９９までくの字に曲げられており、側部からの見栄えを向上させている。
【００４４】
サイド板９８は遮光角以下の位置まで、背面板９９から伸びており、光源や反射部が不用意に視野に入ることを防止している。サイド板９８の内側には、換気通気用のスペースがあり、照明器具９０の内部の放熱効果を向上させている。
【００４５】
図１２に示すように、照明器具９０は、サイド板９８と背面板９９とからなる断面がＵ型またはコ型の溝部材を有している。
図１０（ａ）に示すように、背面板９９には、天井や壁に取り付けるための開口部や配線を通す開口部が設けられている。
図１１（ａ）に示すように、溝部材の内側の両端部には、１対のポスト８４が立っている。図１２に示すように、１対のポスト８４とサイド板９８と背面板９９の間には、点灯器具が収められた電気回路箱３３が配置される。電気回路箱３３以外の空間は換気通気ができ放熱に利用される。電気回路箱３３は、照明器具９０になくてもよい。
【００４６】
図１１（ａ）に示すように、ポスト８４の天面には、段差金具８６の一端と取付部９１とが取付ねじ８８によりねじ止めされる。段差金具８６の他端には、化粧板９３が化粧ねじ８９によりねじ止めされる。段差金具８６はクランク型の形状をしており段差Ｅを提供する。この段差Ｅが、取付部９１と化粧板９３との高さ方向の距離となる。
照明モジュール４０の裏面から縁部７７までの高さを高さＸとすると、
段差Ｅ＝高さＸ
であってもかまわないが、
段差Ｅ＜高さＸ
とすることにより、縁部７７を化粧板９３から突出させることができる。
【００４７】
また、反射板４１の外壁７０の高さを外壁高さＹとすると、
外壁高さＹ＜段差Ｅ
であり、段差Ｅと外壁高さＹとの差が、化粧板９３の裏面と張り出し面３５表面との隙間となり、この隙間は換気通気に役立つ。
【００４８】
照明器具９０は、物理的に既存の蛍光ランプを用いた照明器具と同様の細長い形状を呈しており、照明器具９０を、既存の照明器具の設置場所に代替設置することが可能になる。
【００４９】
実施の形態２．
実施の形態２では、実施の形態１と異なる点を説明する。
図１４は、実施の形態２の照明モジュール４０の短手方向１０２の連結図である。
図１４に示すように、実施の形態２の照明モジュール４０は、短手方向１０２の断面外形が左右対称ではなく、実施の形態１の照明モジュール４０の縁部７７の片側全てを長手方向１０１に切り取った形状をしている。図１４では、基板モジュール１０が配置されていない右側の縁部７７の右側面をカット面として縁部７７の右側をすべてカットしている。即ち、縁部７７の右側のねじ止め部４９や張り出し面３５や右外壁７２はない。その結果、複数の反射部５０は、反射板の短手方向の中央ではなく、照明モジュール４０の短手方向１０２において右側に配置されることになる。
【００５０】
実施の形態２の反射板４１は、反射板４１の長手方向に短手方向から片方にずれた位置（右側）に複数の反射部５０を形成し、取り付け機構４４が、基板モジュール１０の基板１１を反射板の裏面の反射板の短手方向から他方にずれた位置（左側）に取り付けている。
【００５１】
実施の形態２の反射板４１は、第１の光源２１を反射板４１の長手方向１０１の端からＡ／２の間隔で配置するともに、第１の光源２１を反射板４１の短手方向１０２の片方端（右側端）からＡ／２の間隔で配置する。また、第Ｎの光源２９も、反射板４１の２辺からＡ／２の間隔で配置する。
【００５２】
図１４に二点鎖線で示すように、カット面同士を対向させて２個の照明モジュール４０を並列に配置して照明器具９０を製造すれば、対向する照明モジュール４０の光源の間隔はＡとなる。Ａ＝Ｂ（または、Ａ≒Ｂ）であるから、長手方向１０１と短手方向１０２とにおいてほぼ等間隔で複数の光源２０が配置された照明器具９０を提供することができる。
【００５３】
実施の形態２の反射板４１は、カット面全体において長手方向１０１に挿入部７６が形成されており、反射板４１の長手方向１０１のいずれの場所からでも重ねしろ部７５を受け入れることができる。即ち、２個の照明モジュール４０を長手方向１０１が直角になるように配置することがでる。こうして、２個の照明モジュール４０をＬ型やＴ型を呈するように連結することができ、長手方向１０１と短手方向１０２とにおいてほぼ等間隔で複数の光源２０が配置された照明器具９０を提供することができる。
【００５４】
図１５は、実施の形態２の複数の照明モジュール４０を連結して二の字やロの字の照明器具９０を構成した図である。
（ａ）は、実施の形態２の照明モジュール４０を直列に２個連結し、かつ、並列に配置した４個の照明モジュール４０による構成図である。
（ｂ）は、実施の形態２の照明モジュール４０を直列に４個連結し、かつ、並列に配置した８個の照明モジュール４０による構成図である。
（ｃ）は、実施の形態２の照明モジュール４０の端部で直角に連結しロ状に配置した４個の照明モジュール４０による構成図である。
（ｄ）は、実施の形態２の照明モジュール４０を直列に２個連結しロ状に配置した８個の照明モジュール４０による構成図である。
図示しないが、Ｅ型、Ｆ型、Ｈ型、Ｉ型、Ｌ型、Ｔ型、二型、十型、鍵型、クランク型、卍形、十字架型、エ型、コ型、ヨ型、田型などの形状も可能である。
【００５５】
取付部９１は、照明モジュール４０を図１５のような構成に固定するとともに、化粧板９３は、図１５のように配置された照明モジュール４０が露出できるような照明開口９４を有している。
【００５６】
実施の形態２の反射板４１は、反射板４１の片側が無い形状をしているので、並列に配置した場合、２個の照明モジュール４０の縁部７７が連続するので、化粧板９３の照明開口９４が一箇所ですむ。また、反射板４１の片側が無い形状をしているため、複数の光源の縦横の間隔をほぼ同等の寸法でできる。
その結果、照明モジュール４０を二の字やロの字などの形状にでき、その他各種サイズ及び各種形状の照明器具９０ができる。
【００５７】
実施の形態３．
実施の形態３では、実施の形態１と２と異なる点を説明する。
実施の形態１と２の基板モジュール１０は複数の光源２０が１ラインに並んでいたが、基板モジュール１０は、複数の光源２０を２ラインや３ラインなどの複数のラインに配列してもよい。また、１ラインに並ばずに、ジグザグ型、十字型、環型、星型などの所定のパターンで配置されていてもよい。
その場合は、反射板４１の複数の反射部５０も、複数の光源２０の配置に対応して２ラインや３ラインなどの複数のラインまたは所定のパターンにすればよい。縁部７７は、複数のラインすべてまたは所定のパターンすべてに対して、一つ設ければよい。
基板１１の形状は、矩形が単純で望ましいが、複数の光源２０や複数の反射部５０の配置に依存して、あるいは、反射板４１の形状やねじ穴４７の位置に依存して、変更してもよい。
縁部７７の形状は、矩形が単純で望ましいが、複数の光源２０や複数の反射部５０の配置に依存して、あるいは、意匠の向上のために、変更してもよい。
【符号の説明】
【００５８】
１０  基板モジュール、１１  基板、１４  取付穴、２０  複数の光源、２１  第１の光源、２２  第２の光源、２３  第３の光源、２８  第Ｎ−１の光源、２９  第Ｎの光源、３０  接続部、３１  第１の接続部、３２  第２の接続部、３３  電気回路箱、３５  張り出し面、３６  開口裏底部、４０  照明モジュール、４１  反射板、４４  取り付け機構、４７  ねじ穴、４８  隔壁、４９  ねじ止め部、５０  複数の反射部、５１  第１の反射部、５２  第２の反射部、５３  第３の反射部、５８  第Ｎ−１の反射部、５９  第Ｎの反射部、６０  複数の開口、６１  第１の開口、６２  第２の開口、６３  第３の開口、６８  第Ｎ−１の開口、６９  第Ｎの開口、７０  外壁、７１  左外壁、７２  右外壁、７３  側部、７４  貫通部、７５  重ねしろ部、７６  挿入部、７７  縁部、７８  爪、７９  カバー、８１  側端面、８２  開口隙間、８３  配線孔、８４  ポスト、８５  隣接隙間、８６  段差金具、８７  固定ねじ、８８  取付ねじ、８９  化粧ねじ、９０  照明器具、９１  取付部、９２  放熱板、９３  化粧板、９４  照明開口、９５  取付隙間、９６  配線、９８  サイド板、９９  背面板、１０１  長手方向、１０２  短手方向。
【図１】
2010199010.tif 000003
【図２】
2010199010.tif 000004
【図３】
2010199010.tif 000005
【図４】
2010199010.tif 000006
【図５】
2010199010.tif 000007
【図６】
2010199010.tif 000008
【図７】
2010199010.tif 000009
【図８】
2010199010.tif 000010
【図９】
2010199010.tif 000011
【図１０】
2010199010.tif 000012
【図１１】
2010199010.tif 000013
【図１２】
2010199010.tif 000014
【図１３】
2010199010.tif 000015
【図１４】
2010199010.tif 000016
【図１５】
2010199010.tif 000017